(57)【要約】      （修正有）【課題】モニタ上の電子ユーティリティメータからユーティリティデータを表示するためのシステムを提供する。【解決手段】電子ユーティリティメータからユーティリティデータを表示するためのシステムは、電力線搬送（ＰＬＣ）信号を電力信号と通信信号に分離するための分離変圧器と、通信信号から余分の信号を取り除くためのフィルタと、ユーティリティデータを計算、表示情報を生成し、ユーティリティデータ表示信号をモニタに送るためのコンピューティングデバイスとを含む。【選択図】図１
2012249283.tif 000002
【特許請求の範囲】
【請求項１】
モニタ上の電子ユーティリティメータからのユーティリティデータの表示のためのシステムであって、
電力線搬送（ＰＬＣ）信号を電力信号と通信信号に分離するための分離変圧器と、
前記通信信号から余分の信号を取り除くためのフィルタと、
ユーティリティデータの前記表示を生成し、
ユーティリティデータ表示信号を前記モニタに送る
ためのコンピューティングデバイスとを備えるシステム。
【請求項２】
ユーティリティデータの前記表示が、現在の需要、未請求量、最大需要、本日の使用量、日付、時間、メータ番号、バッテリ状況、負荷切断、キロワット時当たりの単価、請求情報、メッセージ、連絡先情報、ヘルプ情報、停電情報、気象情報、履歴ユーティリティデータおよび送電網状況のうちの少なくとも１つを含む、請求項１記載のシステム。
【請求項３】
前記コンピューティングデバイスが、
前記通信信号内の前記ユーティリティデータから新しい値を計算することをさらに提供する、請求項１記載のシステム。
【請求項４】
ユーティリティデータの前記表示が、時間別需要グラフと日次需要グラフとを含む、請求項１記載のシステム。
【請求項５】
前記ユーティリティデータ表示信号をデジタル信号からアナログ信号に変換するためのデジタル／アナログ変換器をさらに備える、請求項１記載のシステム。
【請求項６】
前記モニタが、
前記ユーティリティデータ表示信号を受信し、
ユーティリティデータの前記表示を表示する、
前記コンピューティングデバイスに動作可能に結合されたアナログモニタである、請求項５記載のシステム。
【請求項７】
前記モニタが、
前記ユーティリティデータ表示信号を受信し、
ユーティリティデータの前記表示を表示する、
前記コンピューティングデバイスに動作可能に結合されたデジタルモニタである、請求項１記載のシステム。
【請求項８】
前記ＰＬＣ信号を前記電子ユーティリティメータから前記分離変圧器に送るための送信機をさらに備える、請求項１記載のシステム。
【請求項９】
電子ユーティリティメータからのユーティリティデータの表示のための方法であって、
分離変圧器を使用して電力線搬送（ＰＬＣ）信号を電力信号と通信信号に分離するステップと、
フィルタを使用して、通信信号から余分の信号を取り除くステップと、
コンピューティングデバイスを使用して、ユーティリティデータの前記表示を生成するステップと、
ユーティリティデータ表示信号をモニタに送るステップとを備える方法。
【請求項１０】
ユーティリティデータの前記表示が、現在の需要、未請求量、最大需要、本日の使用量、日付、時間、メータ番号、バッテリ状況、負荷切断、キロワット時当たりの単価、請求情報、メッセージ、連絡先情報、ヘルプ情報、停電情報、気象情報、履歴ユーティリティデータおよび送電網状況のうちの少なくとも１つを含む、請求項９記載の方法。
【請求項１１】
前記通信信号内の前記ユーティリティデータから新しい値を計算するステップ
をさらに備える、請求項９記載の方法。
【請求項１２】
ユーティリティデータの前記表示が、時間別需要グラフと日次需要グラフとを含む、請求項９記載の方法。
【請求項１３】
デジタル／アナログ変換器を使用して、前記ユーティリティデータ表示信号をデジタル信号からアナログ信号に変換するステップをさらに備える、請求項９記載の方法。
【請求項１４】
前記モニタが、前記コンピューティングデバイスに動作可能に結合されたアナログモニタであり、
前記ユーティリティデータ表示信号を受信するステップと、
ユーティリティデータの前記表示を表示するステップとをさらに備える、請求項１３記載の方法。
【請求項１５】
前記モニタが、前記コンピューティングデバイスに動作可能に結合されたデジタルモニタであり、
前記ユーティリティデータ表示信号を受信するステップと、
ユーティリティデータの前記表示を表示するステップとをさらに備える、請求項９記載の方法。
【請求項１６】
送信機を使用して、前記ＰＬＣ信号を前記電子ユーティリティメータから前記分離変圧器に送るステップをさらに備える、請求項９記載の方法。
【請求項１７】
実行されたとき、コンピューティングデバイスが方法を実施することを可能にする、少なくとも１つのコンピュータ読取り可能記憶媒体で具現化されたプログラムコードを備えるコンピュータプログラム製品であって、前記方法が、
分離変圧器を使用して、電力線搬送（ＰＬＣ）信号を電力信号と通信信号に分離するステップと、
フィルタを使用して、前記通信信号から余分の信号を取り除くステップと、
ユーティリティデータの表示を生成するステップと、
ユーティリティデータ表示信号をモニタに送るステップとを備える方法。
【請求項１８】
ユーティリティデータの前記表示が、現在の需要、未請求量、最大需要、本日の使用量、日付、時間、メータ番号、バッテリ状況、負荷切断、およびキロワット時当たりの単価のうちの少なくとも１つを含む、請求項１７記載のコンピュータプログラム製品。
【請求項１９】
前記方法が、
前記通信信号内の前記ユーティリティデータから新しい値を計算するステップをさらに備える、請求項１７記載のコンピュータプログラム製品。
【請求項２０】
ユーティリティデータの前記表示が、時間別需要グラフと日次需要グラフとを含む、請求項１７記載のコンピュータプログラム製品。
【発明の詳細な説明】
【技術分野】
【０００１】
本発明は、一般には、電子ユーティリティメータに関し、より詳細には、電子ユーティリティメータからのユーティリティデータの表示に関する。
【背景技術】
【０００２】
電子ユーティリティメータは、住宅用顧客と商用顧客の両方による様々なユーティリティ、たとえば電気、水道、下水およびガスの使用量を測定する。電子ユーティリティメータは、ユーティリィティ使用量に関する情報を示す、電子ユーティリティメータ上の表示を含むことができる。電子ユーティリティメータは、顧客の建物の外側部分に置いてもよいし、顧客の建物の内側部分の到達するのが難しい位置に置いてもよい。ユーティリィティ使用量を読み取り、またはそれにアクセスするために、顧客は、電子ユーティリィティメータ上のメータ表示を読み取るのに屋外に出、または到達するのが難しい内部位置に行かなければならないことがある。
【０００３】
同時に、顧客は、ユーティリティを最大限に利用するためにユーティリティデータを読み取ることができることによって利益を得る。たとえば、ピーク使用時間は、ユーティリティの使用がオフピーク使用時間より高価になる傾向がある。ピーク使用時間の間に活動を実施する必要がない場合、活動をオフピーク使用時間に延期し、それによってお金を節約し、ユーティリティ分配システムへの需要を減少させることができる。
【発明の概要】
【０００４】
本発明の第１の態様は、モニタ上の電子ユーティリティメータからのユーティリティデータの表示のためのシステムを含み、このシステムは、電力線搬送（ＰＬＣ：ｐｏｗｅｒ  ｌｉｎｅ  ｃａｒｒｉｅｒ）信号を電力信号と通信信号に分離するための分離変圧器と、通信信号から余分の信号を取り除くためのフィルタと、ユーティリティデータの表示を生成し、ユーティリティデータの表示をモニタに送るためのコンピューティングデバイスとを備える。
【０００５】
本発明の第２の態様は、電子ユーティリティメータからのユーティリティデータの表示のための方法を備え、この方法は、分離変圧器を使用して、電力線搬送（ＰＬＣ）信号を電力信号と通信信号に分離するステップと、フィルタを使用して、通信信号から余分の信号を取り除くステップと、コンピューティングデバイスを使用して、ユーティリティデータの表示を生成するステップと、ユーティリティデータ表示信号をモニタに送るステップとを備える。
【０００６】
本発明の第３の態様は、実行されたとき、コンピューティングデバイスが方法を実施することを可能にする、少なくとも１つのコンピュータ読取り可能記憶媒体で具現化されたプログラムコードを備えるコンピュータプログラム製品を含み、この方法は、分離変圧器を使用して電力線搬送（ＰＬＣ）信号を電力信号と通信信号に分離するステップと、フィルタを使用して、通信信号から余分の信号を取り除くステップと、ユーティリティデータの表示を生成するステップと、ユーティリティデータ表示信号をモニタに送るステップとを備える。
【０００７】
本発明のこれらおよび他の特徴は、本発明の様々な実施形態を示す添付の図面と併せ読めば、本発明の様々な実施形態についての下記の詳細な説明からより容易に理解されよう。
【図面の簡単な説明】
【０００８】
【図１】本発明によるユーティリティデータ表示システムの一実施形態のブロック図である。
【図２】本発明の一実施形態による一方法について述べる際に使用するフローチャートである。
【図３】本発明によるユーティリティデータ表示の一実施形態のグラフィック表示を示す図である。
【発明を実施するための形態】
【０００９】
本明細書の図面は、一定の縮尺で描かれていないことに留意されたい。図面は、本発明の典型的な態様を示すものにすぎず、したがって、本発明の範囲を限定するものと見なすべきでない。図面では、同じ番号は、図面間で同様の要素を表す。
【００１０】
図１を参照すると、本発明によるユーティリティデータ表示システム１０２の一実施形態のブロック図が示されている。ユーティリティデータ表示システム１０２は、分離変圧器１３６と、フィルタ１３８と、コンピューティングデバイス１０４とを含んでよい。コンピューティングデバイス１０４は、モニタ表示システム１０５を含んでよく、このモニタ表示システム１０５によってコンピューティングデバイス１０４は、電気ユーティリティメータ１０６からユーティリティデータを受信し、ユーティリティデータを計算し、ユーティリィティ表示１４２（図３）を生成し、モニタ１０８上にユーティリティ表示１４２（図３）を表示するためのユーティリィティデータ表示信号を送るように動作することができる。図１に示されたように、計算システム１１２、生成システム１１４および送信システム１１６は、モニタ表示システム１０５内の任意のコンポーネント（またはモジュール）であってよい。あるいは、計算システム１１２、生成システム１１４および送信システム１１６は、本明細書に述べられた機能を実施できる外部システムの一部であってよい。
【００１１】
コンピューティングデバイス１０４が、ユーザ１１８と通信しているのが示されている。ユーザ１１８は、人間、たとえばプログラマやオペレータ、および／またはユーティリティデータ表示システム１０２と対話するコンピュータ化されたシステムであってよい。ユーザ１１８とコンピューティングデバイス１０４の間の通信は、グラフィカルインターフェース、アプリケーションプログラミングインターフェース（ＡＰＩ：ａｐｐｌｉｃａｔｉｏｎ  ｐｒｏｇｒａｍｍｉｎｇ  ｉｎｔｅｒｆａｃｅ）および／または同類物など、任意の解決策を使用して実施することができる。さらに、通信は、公設網および／または私設網の任意の組合せを使用することができる。コンピューティングデバイス１０４は、処理コンポーネント１２２（たとえば１つまたは複数のプロセッサ）、データベース１２４、メモリ１２６、入出力（Ｉ／Ｏ）コンポーネント１２８（たとえば１つまたは複数のＩ／Ｏインターフェースおよび／またはデバイス）、ならびに通信経路１３０を含むのが示されている。一実施形態では、処理コンポーネント１２２は、メモリ１２６で少なくとも部分的に具現化されるモニタ表示システム１０５など、プログラムコードを実行する。プログラムコードを実行する間、処理コンポーネント１２２は、データを処理することができ、それによって、さらなる処理のためにデータベース１２４、メモリ１２６および／またはＩ／Ｏコンポーネント１２８に対してデータが読み出され、かつ／または書き込まれることになり得る。通信経路１３０は、コンピューティングデバイス１０４内の各コンポーネント間の通信リンクを提供する。Ｉ／Ｏコンポーネント１２８は、ユーザ１１８がコンピューティングデバイス１０４と対話することを可能にする１つまたは複数のヒューマンＩ／Ｏデバイスまたは記憶デバイス、および／あるいはユーザ１１８が任意のタイプの通信リンクを使用してコンピューティングデバイス１０４と通信することを可能にする１つまたは複数の通信デバイスを備えてよい。この点で、ユーティリティデータ表示システム１０２は、人間および／またはシステムがユーティリティデータ表示システム１０２と対話することを可能にする１組のインターフェース（たとえばグラフィカルユーザインターフェース、アプリケーションプログラムインターフェース、および／または同類物）を管理することができる。
【００１２】
いずれの場合でも、コンピューティングデバイス１０４は、そこにインストールされたプログラムコードを実行できる１つまたは複数の汎用コンピューティング製品（たとえばコンピューティングデバイス）を備えることができる。本明細書では、「プログラムコード」は、情報処理能力を有するコンピューティングデバイスに特定の機能を直接的に実施させ、あるいは（ａ）別の言語、コードまたは表記への変換、（ｂ）異なる素材の形の再生、および／または（ｃ）圧縮解除の任意の組合せを行った後に実施させる任意の言語、コードまたは表記の命令の任意の集合を意味することが理解されよう。この点で、モニタ表示システム１０５は、システムソフトウェアおよび／またはアプリケーションソフトウェアの任意の組合せとして具現化することができる。いずれの場合でも、コンピューティングデバイス１０４の技術的効果は、電気ユーティリティメータ１０６からユーティリティデータを受信し、ユーティリティデータを計算し、ユーティリィティ表示１４２（図３）を生成し、モニタ１０８上にユーティリィティ表示を表示するためのユーティリティデータ表示信号を送ることである。
【００１３】
さらに、モニタ表示システム１０５は、１組のモジュール１３２を使用して実装することができる。この場合、モジュール１３２は、モニタ表示システム１０５によって使用される１組のタスクをコンピューティングデバイス１０４が実施することを可能にすることができ、またモニタ表示システム１０５の他の部分とは別に個別に開発し、かつ／または実装することができる。モニタ表示システム１０５は、特定用途マシン／ハードウェアおよび／またはソフトウェアを備えるモジュール１３２を含んでよい。ともかく、２つ以上のモジュールおよび／またはシステムは、そのそれぞれのハードウェアおよび／またはソフトウェアの一部／すべてを共有できることが理解されよう。さらに、本明細書に論じられた機能の一部は実装されないことがあり、また追加の機能性が、コンピューティングデバイス１０４の一部として含まれてよいことが理解されよう。
【００１４】
コンピューティングデバイス１０４が複数のコンピューティングデバイスを備える場合、それぞれのコンピューティングデバイスは、モニタ表示システム１０５の一部だけをコンピューティングデバイス（たとえば１つまたは複数のモジュール１３２）上で具現化させてもよい。しかし、コンピューティングデバイス１０４およびモニタ表示システム１０５は、本明細書に述べられたプロセスを実施できる様々な可能な等価のコンピューティングデバイスを表すものにすぎないことが理解されよう。この点で、他の実施形態では、コンピューティングデバイス１０４およびモニタ表示システム１０５によって提供された機能性は、プログラムコードを備えたまたは備えない汎用および／または特定目的のハードウェアの任意の組合せを含む１つまたは複数のコンピューティングデバイスによって少なくとも部分的に実装することができる。各実施形態では、ハードウェアおよびプログラムコードは、含まれるならば、それぞれ標準のエンジニアリングおよびプログラミング技法を使用して作成することができる。
【００１５】
ともかく、コンピューティングデバイス１０４が複数のコンピューティングデバイスを含む場合、それらのコンピューティングデバイスは、任意のタイプの通信リンクを介して通信することができる。さらに、本明細書に述べられたプロセスを実施する間、コンピューティングデバイス１０４は、任意のタイプの通信リンクを使用して１つまたは複数の他のコンピューティングデバイスと通信することができる。いずれの場合も、通信リンクは、様々なタイプの有線および／または無線リンクの任意の組合せを備えてもよいし、１つまたは複数のタイプのネットワークの任意の組合せを備えてもよいし、かつ／または、様々なタイプの伝送技術およびプロトコルの任意の組合せを使用してもよい。
【００１６】
本明細書に論じられたように、モニタ表示システム１０５は、コンピューティングデバイス１０４がユーティリティデータを計算し、ユーティリィティ表示を生成し、モニタ１０８上にユーティリィティ表示１４２（図３）を表示するためのユーティリティデータ表示信号を送ることができる。モニタ画面システム１０５は、下記の機能を含み得る論理を含んでよい：計算システム１１２、生成システム１１４および送信システム１１６。一実施形態では、モニタ表示システム１０５は、後述される諸機能を実施する論理を含んでよい。構造的には、論理は、フィールドプログラマブルゲートアレイ（ＦＰＧＡ：ｆｉｅｌｄ  ｐｒｏｇｒａｍｍａｂｌｅ  ｇａｔｅ  ａｒｒａｙ）、マイクロプロセッサ、デジタル信号プロセッサ、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、または本明細書に述べられた諸機能を実施できる他の任意の特定用途マシン構造など、様々な形のいずれかを取ってよい。論理は、ソフトウェアおよび／またはハードウェアなど、様々な形のいずれかを取ってよい。しかし、例示するために、モニタ表示システム１０５、およびそこに含まれた論理は、本明細書では特定用途マシンとして述べられる。説明から理解されるように、論理は、上述された諸機能のそれぞれを含むものとして示されているが、添付の特許請求の範囲に記載された本明細書の教示によれば、諸機能のすべてが必ずしも必要とは限らない。
【００１７】
一実施形態では、本発明は、少なくとも１つのコンピュータ読取り可能記憶媒体で具現化されたコンピュータプログラムを提供し、このコンピュータプログラムは、実行されたとき、コンピューティングデバイス（たとえばコンピューティングデバイス１０４）がユーティリティデータを計算し、ユーティリィティ表示を生成し、モニタ１０８上にユーティリィティ表示（図３）を表示するためのユーティリティデータの表示を送ることを可能にする。この点で、コンピュータ読取り可能記憶媒体は、本明細書に述べられたプロセスの一部またはすべてを実施するモニタ表示システム１０５などのプログラムコードを含む。用語「コンピュータ読取り可能記憶媒体」は、１つのプログラムコードを具現化できる表現の任意のタイプの有形媒体（たとえば物理的な実施形態）のうちの１つまたは複数を備えることが理解されよう。たとえば、コンピュータ読取り可能記憶媒体は、１つまたは複数の携帯型の記憶装置製品、コンピューティングデバイスの１つまたは複数のメモリ／記憶装置コンポーネント、紙、および／または同類物を備えてよい。コンピュータ読取り可能記憶媒体は、たとえばそれだけに限らないが、電子、磁気、光、電磁気、赤外線または半導体システム、装置もしくはデバイス、または上記内容の任意の適切な組合せであってよい。コンピュータ読取り可能記憶媒体のより具体的な例（非網羅的なリスト）は、下記を含んでよい：１つまたは複数のワイヤを有する電気接続、携帯型コンピュータディスケット、ハードディスクと、ランダムアクセスメモリ（ＲＡＭ：ｒａｎｄｏｍ  ａｃｃｅｓｓ  ｍｅｍｏｒｙ）、読取り専用メモリ（ＲＯＭ：ｒｅａｄ−ｏｎｌｙ  ｍｅｍｏｒｙ）、消去可能プログラマブル読取り専用メモリ（ＥＰＲＯＭまたはフラッシュメモリ）、携帯型コンパクトディスク読取り専用メモリ（ＣＤ−ＲＯＭ：ｐｏｒｔａｂｌｅ  ｃｏｍｐａｃｔ  ｄｉｓｃ  ｒｅａｄ−ｏｎｌｙ  ｍｅｍｏｒｙ）、光学記憶デバイス、磁気記憶デバイス、または上記の任意の適切な組合せ。本文献の文脈では、コンピュータ読取り可能記憶媒体は、命令実行システム、装置またはデバイスによって、またはそれに関連して使用されるプログラムを含み、または格納できる任意の有形媒体であってよい。
【００１８】
別の実施形態では、本発明は、本明細書に述べられたプロセスの一部またはすべてを実施するモニタ表示システム１０５など、１つのプログラムコードを提供する方法を提供する。この場合、コンピューティングデバイスは、第２の別個の位置で受信するために、その特性のうちの１つまたは複数が、データ信号のセット内の１つのプログラムコードを符号化するようなやり方で設定され、かつ／または変更されたデータ信号のセットを生成し、送信することができる。同様に、本発明の一実施形態は、本明細書に述べられたプロセスのうちの一部またはすべてを実施する１つのプログラムコードを取得する方法を提供し、この方法は、コンピューティングデバイスが、本明細書に述べられたデータ信号のセットを受信するステップと、データ信号のセットを、少なくとも１つのコンピュータ読取り可能媒体で具現化された１つのコンピュータプログラムに変換するステップとを含む。いずれの場合も、データ信号のセットは、任意のタイプの通信リンクを使用して送受信することができる。
【００１９】
さらに別の実施形態では、本発明は、ユーティリティデータを計算し、ユーティリィティ表示を生成し、モニタ１０８上にユーティリィティ表示１４２（図３）を表示するためのユーティリティデータ表示信号を送るシステムを生成する方法を提供する。この場合、コンピューティングデバイス１０４などのコンピューティングデバイスを取得することができ（たとえば作成し、維持し、使用可能にすることなどができ）、また本明細書に述べられたプロセスを実施するための１つまたは複数のモジュールを取得し（たとえば作成、購入、使用、修正などを行い）、コンピューティングデバイスに展開することができる。この点で、展開は、下記のうちの１つまたは複数を備えることができる：（１）コンピュータ読取り可能媒体からプログラムコードをコンピューティングデバイスにインストールすること、（２）コンピューティングデバイスに１つまたは複数のコンピューティングデバイスおよび／またはＩ／Ｏデバイスを追加すること、および（３）本明細書に述べられたプロセスをコンピューティングデバイスが実施することを可能にするようにコンピューティングデバイスを組み込み、かつ／または修正すること。
【００２０】
図２を参照すると、本発明の一実施形態における、電気ユーティリティメータからのユーティリティデータを表示する方法のフローチャートが示されている。また、引き続き図１を参照すると、電気ユーティリティメータ１０６は、分離変圧器１３６に電力線搬送（ＰＬＣ）信号を送る送信機１３４を含んでよい。ＰＬＣ信号は、電力信号と通信信号とを含んでよい。ＰＬＣ信号は、同じケーブル１４０を介して通信信号と電力信号の送信を統合することができる。電力信号は、電力を含んでよく、通信信号は、ユーティリティデータを含んでよい。図２に示されたように、分離変圧器１３６は、Ｓ１で、ＰＬＣ信号を受信し、Ｓ２で、分離変圧器１３６は、通信信号から電力信号を分離する。Ｓ３で、通信信号から余分の信号、たとえば高周波信号、たとえば「雑音」を取り除くためのフィルタ１３８が提供されてよい。分離変圧器１３６は、フィルタ１３８に動作可能に接続することができ、フィルタ１３８は、コンピューティングデバイス１０４に動作可能に接続されてよい。
【００２１】
ユーティリティデータは、メータデータを含んでよい。メータデータは、電子ユーティリティメータによって読み出され、測定され、生成され、かつ／または電子ユーティリティメータに通信される任意のデータを含んでよい。メータデータは、たとえば、現在の需要、未請求量、最大需要、本日の使用量、日付、時間、メータ番号、バッテリ状況、負荷切断状態、負荷切断状況、キロワット時当たりの単価、および他の任意の知られている、または将来開発されるメータデータを含んでよい。当業者は、電子ユーティリティメータからの様々なメータデータが、ユーティリティデータに含まれてもよいことが容易に認識されよう。
【００２２】
ユーティリティデータは、ユーティリィティ分配網データを含むこともできる。ユーティリィティ分配網データは、ユーティリィティ分配網の他の任意のノードおよび／またはコンポーネントによって測定され生成されたデータを含んでよい。ユーティリィティ分配網データは、ユーティリィティ分配網に関する情報を含んでよい。ユーティリィティ分配網データは、電気ユーティリティメータ１０６を介して通信することができる。ユーティリィティ分配網は、たとえば変電所、配電所、変圧器、ネットワークノード、発電所、ヘッドエンドサーバ、ユーティリィティ分配網と通信するユーティリィティ人員、およびユーティリィティ分配網の他の知られている、または将来開発されるコンポーネントを含んでよい。ユーティリィティ分配網データは、たとえば、請求情報、キロワット時当たりの価格、メッセージ（テキストおよび／または絵コンテンツを含む）、連絡先情報、ヘルプ情報、停電情報、気象情報、履歴ユーティリティデータ、送電網ステータス、および他の任意の知られている、または将来開発されるユーティリィティ分配網データを含んでよい。電子ユーティリティメータからの様々なユーティリィティ分配網データがユーティリティデータに含まれてよいことが、当業者には容易に認識されよう。
【００２３】
含まれるユーティリティデータのタイプは、計量されているユーティリィティのタイプに応じて変化することがあり、たとえば、ガス使用量の測定は、電力使用量の測定と異なってよいことが、当業者には容易に認識されよう。
【００２４】
一実施形態では、Ｓ４で、計算システム１１２は、フィルタ１３８から通信信号を受信し、通信信号内のユーティリティデータを計算してよい。ユーティリティデータの計算は、ユーティリィティ使用量に関する追加の情報についてのユーティリティデータから新しい値、たとえばキロワット時当たり価格による現在の需要、日ごとの最大需要、および日々の最大需要時間を計算することを含んでよい。ユーティリティデータから計算された様々な新しい値が可能であってよいことが、当業者には容易に認識されよう。
【００２５】
Ｓ５で、生成システム１１４は、ユーティリティデータの表示１４２（図３）を生成するために、フィルタ１３８からのユーティリティデータ、および／または計算システム１１２からの計算されたユーティリティデータを受信してよい。本発明の一実施形態では、ユーティリティデータの表示１４２（図３）は、モニタ１０８上で見ることができる。Ｓ６で、生成システム１１４は、モニタ１０８上に表示するユーティリティデータを生成することができ、ユーティリティデータ表示信号をモニタ１０８に送ることができる。生成は、任意の現在知られている、または将来開発される、モニタ用表示を生成する方法によって行うことができる。ユーティリティデータ表示信号をモニタ１０８に送ることは、任意の現在知られている、または将来開発される方法によって、たとえばケーブルや無線伝送を介して行うことができる。
【００２６】
図１に示されたように、モニタ１０８は、デジタルディスプレイ１４６を含んでもよいし、アナログディスプレイ１４８を含んでもよい。モニタ１０８は、たとえばテレビジョン、ラップトップコンピュータ、デスクトップコンピュータ、壁パネルディスプレイおよびビデオモニタを含んでよい。モニタ１０８は、住宅用および商用の顧客の建物、たとえば自宅と会社の両方に位置してよい。いずれの場合でも、一実施形態は、デジタル／アナログ変換器（ＤＡＣ：ｄｉｇｉｔａｌ−ｔｏ−ａｎａｌｏｇ  ｃｏｎｖｅｒｔｅｒ）１５０を含んでよい。Ｓ７で、ＤＡＣ  １５０は、デジタル形式のユーティリティデータ表示信号を受信し、ユーティリィティ表示信号がアナログディスプレイ１４８に送信される前に、ユーティリティデータ表示信号をアナログ形式に変換してよい。一実施形態では、増幅器１５１は、アナログディスプレイ１４８に送信する前にアナログ信号を拡張するために含まれてよい。Ｓ９で、モニタ１０８は、ユーティリティデータの表示１４２（図３）を受信し表示してよい。
【００２７】
図３を参照すると、本発明によるユーティリティデータの表示１４２の一実施形態のグラフィック表現が示されている。ユーティリティデータの表示１４２は、たとえば現在の需要表示１５２、未請求量表示１５４、最大需要表示１５６、本日の使用量表示１５８、日付表示１６０、メータ番号表示１６２、バッテリ状況表示１６４、負荷切断状況表示１６６、およびキロワット時当たりの単価表示１６８を含んでよい。さらに、ユーティリティデータの表示１４２は、グラフィック画像、たとえば、時間別需要のグラフ表示１７２および／または日次需要のグラフ１７４と共に、タイトル表示１７０を含んでよい。他のタイプのユーティリティデータを表示してよく、表示内のグラフなど、視覚画像の配置は変化してよいことが、当業者には認識されよう。図３に棒グラフおよび折れ線グラフが示されているが、ユーティリティデータ関係を表示する任意のタイプのグラフィック画像を使用してよい。
【００２８】
本明細書に用いられた用語は、特定の実施形態について説明するためのものにすぎず、本開示を限定することは意図していない。本明細書では、単数形「一（ａ、ａｎ、ｔｈｅ）」は、文脈により明らかに示されていない限り、複数形をも含むことが意図されている。用語「備える（ｃｏｍｐｒｉｓｅｓおよび／またはｃｏｍｐｒｉｓｉｎｇ）」は、本明細書では、述べられた特徴、整数、ステップ、操作、要素および／またはコンポーネントが存在することを指定するが、１つまたは複数の他の特徴、整数、ステップ、操作、要素、コンポーネントおよび／またはそのグループの存在または追加を除外するものでないことがさらに理解されよう。
【００２９】
記載されたこの説明は、ベストモードを含めて本発明を開示し、また任意のデバイスまたはシステムを作成し使用し、組み込まれた任意の方法を実施することを含めて当業者が本発明を実施することを可能にするために、実施例を用いている。本発明の特許性のある範囲は、特許請求の範囲によって定義され、当業者に想起される他の実施例を含み得る。他のこうした実施例は、特許請求の範囲の文言（ｌｉｔｅｒａｌ  ｌａｎｇｕａｇｅ）とは異ならない構造的要素を有する場合、または特許請求の範囲の文言とわずかにしか異ならない均等の構造的要素を含む場合は、特許請求の範囲内のものとする。
【符号の説明】
【００３０】
１０２  ユーティリティデータ表示システム
１０４  コンピューティングデバイス
１０５  モニタ表示システム
１０６  電気ユーティリティメータ
１０８  モニタ
１１２  計算システム
１１４  生成システム
１１６  送信システム
１１８  ユーザ
１２２  処理コンポーネント
１２４  データベース
１２６  メモリ
１２８  入出力（Ｉ／Ｏ）コンポーネント
１３０  通信経路
１３２  モジュール
１３４  送信機
１３６  分離変圧器
１３８  フィルタ
１４０  ケーブル
１４２  ユーティリティディスプレイ
１４６  デジタルディスプレイ
１４８  アナログディスプレイ
１５０  デジタル／アナログ変換器（ＤＡＣ）
１５１  増幅器
１５２  現在の需要表示
１５４  未請求量表示
１５６  最大需要表示
１５８  本日の使用量表示
１６０  日付表示
１６２  メータ番号表示
１６４  バッテリ状況表示
１６６  負荷切断表示
１６８  キロワット時当たり単価表示
１７０  タイトル表示
１７２  時間別需要グラフ表示
１７４  日次需要グラフ
【図１】
2012249283.tif 000003
【図２】
2012249283.tif 000004
【図３】
2012249283.tif 000005
【外国語明細書】
2012249283000001.pdf